(57)【要約】【課題】携帯電話、携帯端末等のいわゆる携帯型情報機器へ小型磁気記録再生装置を内蔵あるいは搭載するため、磁気記録再生装置の動作環境の範囲を拡大することにある。【解決手段】磁気記録媒体と前記磁気記録媒体に対して情報の記録再生を行う磁気ヘッドと、前記磁気記録媒体を回転させるスピンドルモータと、データの記録再生および装置の制御を行う電子回路を持つ磁気記録再生装置において、  前記装置内の温度を検知するための回路を備えるとともに、検知温度によって、データを記録する際の先行消去を制御することを備えた磁気記録再生装置。【選択図】図１
2006120279.tif 000002
【特許請求の範囲】
【請求項１】
磁気記録媒体と前記磁気記録媒体に対して情報の記録再生を行う磁気ヘッドと、前記磁気記録媒体を回転させるスピンドルモータと、データの記録再生および装置の制御を行う電子回路を持つ磁気記録再生装置において、
前記装置内の温度を検知するための回路を備えるとともに、検知された温度によって、データを記録する際の先行消去を制御することを備えた磁気記録再生装置。
【請求項２】
前記先行消去は、検知された温度によって先行消去回数、消去電流、消去パターンの少なくとも１つ以上のパラメータを制御するとした請求項１記載の磁気記録再生装置。
【請求項３】
磁気記録再生装置内の検知温度が所定温度以下となった場合、データを記録する際に少なくとも１回以上の先行消去を行うとした請求項２記載の磁気記録再生装置。
【請求項４】
磁気記録再生装置内の検知温度が所定温度以下となった場合、データを記録する際に行う先行消去の消去電流値は、データを記録した電流値より大きくするとした請求項２記載の磁気記録再生装置。
【請求項５】
前記先行消去の制御において、使用する磁気記録媒体が長手記録媒体のときは
消去パターンをＤＣパターンとし、使用する磁気記録媒体が垂直記録媒体のときは消去パターンをＡＣパターンとするとした請求項２記載の磁気記録再生装置。
【請求項６】
前記先行消去回数、消去電流、消去パターンの制御パラメータが、磁気記録再生装置に内蔵あるは接続されたメモリー回路に、予め格納されているとした請求項１記載の磁気記録再生装置。
【請求項７】
記録動作開始後に、初期のデータ記録条件を設定するステップと、温度検知回路によって装置内の温度を検知するステップと、検知された温度を元に先行消去を行うかどうかを判定するステップと、先行消去を行うと判定された場合、先行消去の制御情報を、装置の制御回路に設定するステップと、前記制御情報を元に先行消去動作を行うステップと、先行消去した後にデータを記録するステップと、記録動作の終了を行うステップを備え、先行消去を行わないと判定された場合、初期のデータ記録条件をそのまま用いてデータを記録するステップと、記録動作の終了を行うステップを備えたデータ記録方法。
【請求項８】
前記先行消去は、検知された温度によって先行消去回数、消去電流、消去パターンの少なくとも１つ以上のパラメータを制御するとした請求項７記載のデータ記録方法。
【請求項９】
磁気記録再生装置内の検知温度が所定温度以下となった場合、データを記録する際に少なくとも１回以上の先行消去を行うとした請求項８記載のデータ記録方法。
【請求項１０】
磁気記録再生装置内の検知温度が所定温度以下となった場合、データを記録する際に行う先行消去の消去電流値は、データを記録した電流値より大きくするとした請求項８記載のデータ記録方法。
【請求項１１】
前記先行消去の制御において、使用する磁気記録媒体が長手記録媒体のときは
消去パターンをＤＣパターンとし、使用する磁気記録媒体が垂直記録媒体のときは消去パターンをＡＣパターンとするとした請求項８記載のデータ記録方法。
【請求項１２】
前記先行消去回数、消去電流、消去パターンの制御パラメータが、磁気記録再生装置に内蔵あるは接続されたメモリー回路に予め格納されており、所定のタイミングで読み出されるとした請求項７記載のデータ記録方法。
【発明の詳細な説明】
【技術分野】
【０００１】
本発明は携帯電話、携帯端末等の、携帯型情報機器に内蔵あるいは搭載される小型磁気記録再生装置及びデータ記録方法に関するものである。
【背景技術】
【０００２】
近年、携帯型情報機器の進歩は目ざましいものであり、特に携帯電話装置においては電話機としての高機能化はもちろんのこと、大量の文字や画像データを取り扱う機能、電子メール機能、ブラウザ機能等が追加されてきている。このように、携帯電話装置には、電話機としての機能のみならず、一種の携帯用コンピュータとしての働きが要求されつつある。このため、携帯電話装置の中に各機能のデータやプログラム等をストレージするための大容量メモリシステムを備える必要が生じてきつつある。携帯電話装置に代表される携帯情報機器に磁気記録再生装置を内蔵しようとすれば、従来よりも広い使用環境（特に動作温度）の拡大を図ることが要求される。今までＨＤＤの使用される環境温度は、PC内蔵では、５℃から５５℃であったが、携帯電話などのモバイル機器などの搭載を考えると-２０℃から７０℃程度と非常に厳しい温度範囲で動作を保証しなければならない。
【０００３】
一般的に低温環境では磁気記録媒体の保磁力が増加する。このためデータの記録がし難くなるものである。データ記録の品質が低下するとエラーレートが増加し、装置のトータル性能が劣化するおそれがある。
【０００４】
このため従来の磁気記録再生装置において、低温環境での記録動作を保障する技術として、磁気記録装置内の温度を検知し、それに応じて磁気信号のデータの記録方法を一般的なダイレクトオーバーライト方式から一度消去してから信号を記録するイレース・アンド・ライト方式へと切替え機能を持たせたものがある。新たな磁気信号を記録する時点で、メモリーに記憶されている環境条件情報を満たしているか否かで判断し、記録の仕方を制御するものである（例えば、特許文献１参照）。
【０００５】
また、前記の方法とは別に磁気ディスク装置の周囲温度が低温のときに情報の書込み又は記録が容易である第１の磁気ディスク媒体と、磁気ディスク装置の周囲温度が高温のときに情報の保持が容易である第２の磁気ディスク媒体を備え、周囲温度が低温の際には第１の媒体に記録し、周囲温度が高温の際には第２の媒体に記録する方式のものがあった（例えば、特許文献２参照）。
【特許文献１】特開２００２−２３７００５号公報
【特許文献２】特開２００３−３４６３０４号公報
【発明の開示】
【発明が解決しようとする課題】
【０００６】
携帯電話、携帯端末等のいわゆる携帯型情報機器へ小型磁気記録再生装置を内蔵あるいは接続を考えた場合、磁気記録再生装置が使用される動作環境は従来にも増して広範囲で厳しいものになってくる。このため前記従来の構成（例えば、特許文献１）では、記録媒体の温度変化によって低温下でのデータ記録品質が劣化することを防止するための手段として磁気記録装置内の温度を推定し、それに応じて磁気信号の記録方法を一般的なダイレクトオーバーライト方式から一度消去してから信号を記録するイレース・アンド・ライト方式へと切替えを行いデータ記録品質の向上を図ろうというものである。
【０００７】
しかしながら従来の技術では、環境条件情報によって、ダイレクトオーバーライト方式かもしくはイレース・アンド・ライト方式に切替えることのみで記録信号の品質を上げようとしているが、実際には低温環境での磁気記録媒体の保磁力やレマネンスなどの磁気特性や、ヘッド記録能力、ヘッド浮上量など様々な記録品質に関するパラメータの大きさ（状態）によってイレース性能が大きくばらつくものである。このため単にイレース・アンド・ライト方式でデータの記録を行っても、良好な記録品質とならない可能性がある。良好なデータが得られないため低温環境下ではエラーレートの悪化などの危険性があり、トータルの装置性能の低下を引き起こす可能性がある。
【０００８】
また一方の試みとして、従来の構成（例えば、特許文献２）では、磁気ディスク装置の周囲温度が低温のときに情報の書込み又は記録が容易である第１の磁気ディスク媒体と、磁気ディスク装置の周囲温度が高温のときに情報の保持が容易である第２の磁気ディスク媒体を備え、周囲温度が低温の際には第１の媒体に記録し、反対に高温の際には第２の媒体に記録するものである。この構成では磁気特性の異なる磁気ディスク媒体を用意する必要があった。このため前記磁気ディスク媒体が１枚だけの磁気ディスク装置の構成は不可能である。また記録が容易である第１の磁気ディスク媒体は、熱揺らぎの観点からは、一時的なデータを保存するだけのディスク媒体となってしまい、トータルの装置コストや装置小型化の点で課題を有していた。
【０００９】
このように従来の技術では携帯型情報機器などに搭載あるいは内蔵する磁気記録再生装置において求められるような使用環境の中でも特に、低温環境での動作保障において、その実現が困難であるという課題を有していた。
【００１０】
本発明は、前記従来の課題を解決するもので、磁気記録再生装置の動作環境が変化して、低温環境になったとしても、所定の記録性能を確保し、記録データの品質劣化を防ぐものであり、最終的に携帯型情報機器に内蔵あるいは接続される小型磁気記録再生装置及びデータ記録方法を提供することを目的とする。
【課題を解決するための手段】
【００１１】
前記従来の課題を解決するために、本発明の磁気記録再生装置及びデータ記録方法は、磁気記録媒体と前記磁気記録媒体に対して情報の記録再生を行う磁気ヘッドと、前記磁気記録媒体を回転させるスピンドルモータと、データの記録再生および装置の制御を行う電子回路を持つ磁気記録再生装置において、前記装置内の温度を検知するための回路を備えるとともに、検知された温度によって、データを記録する際の先行消去を制御することを備えたものである。
【００１２】
本構成によって、前記検知回路によって検知された装置内温度あるいは磁気記録媒体の温度に応じて最適なデータの記録動作を制御することができる。
【００１３】
また、先行消去は検知された温度によって先行消去回数、消去電流、消去パターンの少なくとも１つ以上のパラメータを制御するとしたものである。
【００１４】
本構成によって装置内温度あるいは磁気記録媒体の検知温度に応じて最適な、先行消去をきめ細かく制御することができる。
【００１５】
さらに磁気記録再生装置内の検知温度が所定温度以下となった場合、データを記録する際に少なくとも１回以上の先行消去を行うとしたものである。
【００１６】
本構成によって、磁気記録再生装置内の温度が変化しても十分な先行消去性能が得られるものである。
【００１７】
磁気記録再生装置内の検知温度が所定温度以下となった場合、データを記録する際に行う先行消去の消去電流値はデータを記録した電流値より大きくするとしたものである。
【００１８】
本構成によっても、磁気記録再生装置内の温度が変化しても十分な先行消去性能が得られるものである。
【００１９】
先行消去の制御は、使用する磁気記録媒体が長手記録媒体のときは消去パターンをＤＣパターンとし、使用する磁気記録媒体が垂直記録媒体のときは消去パターンをＡＣパターンとするとしたものである。
【００２０】
本構成によって、使用する磁気記録媒体に応じた、最適な消去パターンを提供するものである。
【００２１】
さらに、本発明の磁気記録再生装置内蔵あるは接続されたメモリー回路には予め、検知温度に応じた最適な先行消去回数、消去電流、消去パターンの制御情報が格納されているものである。
【００２２】
本構成によって、装置内温度あるいは磁気記録媒体温度に応じて最適な先行消去の制御条件（情報）を確実に設定することができる。
【００２３】
本発明のデータ記録方法としては、記録動作開始後に、初期のデータ記録条件を設定するステップと、温度検知回路によって装置内の温度を検知するステップと、検知された温度を元に先行消去を行うかどうかを判定するステップと、先行消去を行うと判定された場合、先行消去の制御情報を、装置の制御回路に設定するステップと、前記制御情報を元に先行消去動作を行うステップと、先行消去した後にデータを記録するステップと、記録動作の終了を行うステップを備え、先行消去を行わないと判定された場合、初期のデータ記録条件をそのまま用いてデータを記録するステップと、記録動作の終了を行うステップを備えたものである。
【００２４】
本構成によって、前記検知回路によって検知された装置内温度あるいは磁気記録媒体の温度に応じて最適なデータの記録方法を制御することができる。
【００２５】
先行消去の制御は、検知温度によって先行消去回数、消去電流、消去パターンの少なくとも１つ以上のパラメータを制御するとした方法である。
【００２６】
本構成によって、装置内温度あるいは磁気記録媒体の温度に応じて最適な、先行消去をきめ細かく制御する方法が得られる。
【００２７】
さらに磁気記録再生装置内の検知温度が所定温度以下となった場合、データを記録する際に少なくとも１回以上の先行消去を行うとしたものである。
【００２８】
本構成によって、磁気記録再生装置内の温度が変化しても十分な先行消去性能が得られるものである。
【００２９】
磁気記録再生装置内の検知温度が所定温度以下となった場合、データを記録する際に行う先行消去の消去電流値はデータを記録した電流値より大きくするとしたものである。
【００３０】
本構成によっても、磁気記録再生装置内の温度が変化しても十分な先行消去性能が得られるものである。
【００３１】
また先行消去の制御において、使用する磁気記録媒体が長手記録媒体のときは消去パターンをＤＣパターンとし、使用する磁気記録媒体が垂直記録媒体のときは消去パターンをＡＣパターンとするとしたものである。
【００３２】
本構成によって、使用する磁気記録媒体に応じた、最適な消去パターンを提供する方法である。
【００３３】
さらに本発明の先行消去回数、消去電流、消去パターンの制御パラメータが、磁気記録再生装置内蔵あるは接続されたメモリー回路に予め格納されており、所定のタイミングで読み出されるとしたものである。
【００３４】
本構成によって、装置内温度あるいは磁気記録媒体温度に応じて最適な先行消去の制御条件（情報）を確実に設定することができるものである。
【発明の効果】
【００３５】
本発明の磁気記録再生装置及びデータ記録方法によれば、磁気記録再生装置の使用環境が変化して、特に低温環境になったとしても所定の記録再生性能を確保し、記録再生信号の品質劣化を防ぐものであり、最終的に携帯型情報機器に内蔵あるいは搭載することができるようになる。これにより小型磁気記録再生装置の応用範囲が拡大するものとなる。
【発明を実施するための最良の形態】
【００３６】
以下本発明の実施の形態について、図面を参照しながら説明する。
【００３７】
図１は、本発明の実施の形態１における磁気記録再生装置の要部を示すブロック図である。図1において、ヘッドディスクアセンブリは磁気記録媒体１０２と、磁気ヘッド１０１と磁気記録媒体１０２を回転駆動させるためのスピンドルモータ（ＳＰＭ）１０３とヘッド支持部材１０４で構成されている。また磁気ヘッド１０１はヘッド支持部材１０４を介してボイスコイルモータ（ＶＣＭ）１０7に装着され、ＶＣＭドライバ１０８から供給される電流によって磁気ヘッド１０１を磁気記録媒体１０２の半径方向に位置決めする。ＶＣＭドライバ１０８は、サーボコントローラ１１5の制御信号に基づいて電流をボイスコイルモ−タ（ＶＣＭ）１０９に供給する。またスピンドルモータ１０３はスピンドルモータドライバ１０７から駆動電流を供給される。次にプリアンプ１０５は磁気記録媒体１０２に所望の信号を記録再生するために、磁気ヘッド１０１への記録電流を駆動する動作と、磁気記録媒体１０２から再生された信号を増幅するためのものである。リードライトチャネル回路１１3はディジタル記録再生データを生成するための処理を行う。そして記録再生データを制御回路１１2（以後、ハードディスクコントローラと記す）に送出する。リードライトチャネル回路１１3はハードディスクコントローラ１１2から送出されるゲ−トのタイミングで記録デ−タの符号化処理または再生デ−タの復号化処理を実行するものである。またリードライトチャネル回路１１2は、サーボコントローラ１１4から出力されるサーボゲートのタイミングでサーボデータの再生処理を実行し、シークデータ、位置誤差データを含むサーボ情報をサーボコントローラ１１4に送出して、磁気ヘッド１０１の位置決め制御を行う。ハードディスクコントローラ１１2はホストのシステムとのインタ−フェイスを構成しつつ、デ−タ転送制御等の管理も併せて行うものである。また先行消去の制御はハードディスクコントローラ１１2とＣＰＵ１１０とそれらを制御するソフトウエアから構成される（図示省略）。
【００３８】
さらに磁気記録再生装置内には装置内温度あるいは磁気記録媒体の温度を検知するための温度検知回路１０６が設けられている。またメモリー回路１１1には磁気記録再生装置の全体制御するファームウェア及び、温度検知回路１０６によって検知された装置内温度あるは磁気記録媒体１０２の温度に応じた、先行消去のための制御情報が格納されている。
【００３９】
次に本発明の磁気記録再生装置における先行消去を含むデータの記録方法について説明する。図３は、本発明の実施の形態１におけるデータ記録方法を示すフローチャート図である。まず記録動作の開始（ステップＳ１）が命令されると、初期のデータ記録条件を設定する（ステップＳ２）。このときの条件は、通常の温度範囲（例えば室温近傍）でデータ記録することを想定した条件をセットする。次に装置内の磁気記録媒体の近傍に配置された温度検知回路を用いて、装置内温度あるいは磁気記録媒体の温度を検知する（ステップＳ３）。その後、検知された温度を元に、新たなデータを記録する前に先行消去を行うか又は行わないかを判定する（ステップＳ４）。この判定のための閾値情報はメモリー回路に予め格納されており、先行消去を行うか又は行わないかの判断動作の際に、メモリーから読み込まれるものである（ステップＳ３１）。
【００４０】
次に先行消去を行う判定された場合の動作（ステップＳ４のYes）について説明する。先行消去の設定情報を、先行消去制御部に設定する（ステップＳ５）。先行消去のための制御情報としては消去回数、消去電流、消去パターンであり、前記検知回路による装置内温度あるいは磁気記録媒体の温度に応じて最適な制御条件がセットされる。前記消去回数、消去電流、消去パターンの先行消去のための制御情報は、メモリー回路に予め格納されており、先行消去の制御情報を装置の制御回路にセットする際に、メモリー回路から読み込まれるものである（ステップＳ５１）。前記の設定された条件の元に先行消去動作を行う（ステップＳ６）。その後、最終的にデータを記録する（ステップＳ７）。このようなステップを経て一連の記録動作が完了するものである（ステップＳ８）。
【００４１】
また先行消去行わないと判定された場合の動作（ステップＳ４のＮｏ）を説明する。先行消去行わないと判定された場合は、装置内温度あるいは磁気記録媒体温度が通常範囲（例えば室温近傍）であることから、一般的なダイレクトオーバーライト方式でデータを記録することになる（ステップＳ９）。このときのデータ記録条件は初期に設定されたものをそのまま用いるものである。このようにして一連の記録動作が完了する（ステップＳ１０）。
【００４２】
本発明では先行消去回数、消去電流、消去パターンを装置内温度に応じた最適な条件を用いて先行消去を行うものであるが、この装置内温度に対する前記パラメータの最適な条件設定に関して説明する。最初に、前記先行消去のための各制御パラメータと装置内温度あるいは磁気記録媒体温度との関係について調べた。
【００４３】
実験に用いた本発明の実施の形態１における磁気記録再生装置の要部を図２に示す。さらに磁気記録再生装置の主な諸元について説明する。磁気記録再生装置２０１の体積容量は３６００ｍｍ３  であり、温度検知回路2０4は磁気記録再生装置２０１内の磁気記録媒体２０３の近傍に位置するように配置した。磁気ヘッド２０２はヘッドＩＣ２０５に接続されるとともに、ヘッド支持機構部を介してボイスコイルモータ２０６と一体化される。図中には省略しているが磁気記録媒体２０３と反対面にはリ−ドライトチャネル回路、ハードディスクコントローラ等の一連の制御回路が搭載されて磁気記録再生装置２０１を構成している。また磁気記録再生装置２０１に用いた磁気記録媒体２０３は長手記録媒体であり、その保磁力は360（kAT/m）である。さらに磁気記録再生装置２０１に用いた磁気ヘッド２０２は凡そ面記録密度が約140〜160Ｍｂｉｔ／ｍｍ２程度に用いられるヘッド素子を用いた。
【００４４】
前記磁気記録再生装置２０１には夫々特性を評価するために、ヘッド出力モニター、及びエラーレートモニター用の端子（図示省略）を設けた後、専用の計測用回路を介して測定した。また磁気記録媒体の温度を変化させるために、前記磁気記録再生装置２０１を恒温恒湿槽もしくは恒温恒湿室に入れて実験した。
【００４５】
本発明の実施の形態１における先行消去回数とオーバーライト特性の関係を図４に示す。オーバーライト特性の評価としては一般的に行われている方法を用いた。最初に、ビット長換算で０．４μｍなる信号を記録した後、その基本波の出力（Ｆ1）を測定する。次にビット長が０．４μｍなる信号上にビット長が０．０65μｍなる信号を重ね書きする。そして重ね書きされた信号からビット長が０．４μｍの基本波成分の出力（Ｆ１‘）を測定する。このＦ１とＦ１’の対数比をもってオーバーライト値とした。なおここでの先行消去はＤＣ（直流）パターンを用い、消去電流値はオーバーライト電流と同じ値とした。
【００４６】
図４からも明らかなように、装置内の温度が室温（２5℃）の場合は、オーバーライト値は先行消去をしなくても-３０ｄＢを越えたものとなっている。通常オーバーライト値は-３０ｄＢ程度あれば実用上問題のないレベルである。しかしながら装置内の温度が-２０℃と低温の場合、先行消去をしないときのオーバーライト値は約-２２Ｂ程度でかなり悪化している。しかしながら先行消去を繰り返す回数が増えるにつれて、オーバーライト値は改善されていくことがわかる。消去回数を増やすとオーバーライト値が改善していく理由は、消去した後のわずかなデータの消し残り（記録媒体の深さ方向及びトラック幅の方向成分）が、消去回数を増やすにつれて徐々に小さくなっていくとためと考えられる。この結果周囲温度が-20℃前後のとき、−３０ｄＢ前後のオーバーライト値を得ようとすれば先行消去回数は３回以上必要となった。
【００４７】
次に本発明の実施の形態１における記録電流比（Ｉｅ/Ｉｗ）とオーバーライト特性の関係を図５に示す。なお前記した記録電流比は消去電流値をデータ記録する際の記録電流値で割たもので定義している。また本実験では先行消去回数は１回とし、データ記録電流は固定し、ＤＣ消去電流の大きさを変えることで記録電流比を変化させたときのオーバーライト性能を検討している。実験の結果、装置内の温度が-２０℃と低温の場合は記録電流比を約２倍程度にすればオーバーライト値で約-３０ｄＢとなることがわかった。
【００４８】
先行消去回数とオーバーライト特性と記録電流比（Ｉｅ/Ｉｗ）とオーバーライト特性の関係より、周囲温度あるは磁気記録媒体温度に応じて最適な先行消去の条件について検討した。本発明の実施の形態１における装置内温度と先行消去回数との関係を図６に示す。これによれば実用上問題のないレベル（−３０ｄＢ）を得ようとした場合、周囲温度が１０℃までは先行消去しなくてもよいが、それ以下の温度とった場合、消去回数を段階的に増やしていく必要がある。例えば周囲温度が−２０℃では３回の先行消去が必要であった。
【００４９】
次に本発明の実施の形態１における装置内温度と記録電流比（Ｉｅ/Ｉｗ）との関係を図７に示す。先行消去回数の実験と同じようにオーバーライト値の変化を検討した。この場合、周囲温度が１０℃以上の場合、記録電流比は１でよいが、低温になるにつれて記録電流比を大きくする必要がある。記録電流比を増やすとオーバーライト値が改善していく理由は、消去した後のわずかなデータの消し残り（記録媒体の深さ方向及びトラック幅の方向成分）が、記録電流比を増やすにつれて徐々に少なくなっていくためと考えられる。
【００５０】
実験の結果、装置内温度が−２０℃では記録電流比は約２程度にする必要があることがわかった。
【００５１】
装置内の温度と先行消去回数及び記録電流比との関係を求め、検知された温度に応じた最適な条件をテーブル化して、先行消去制御情報として予めメモリー回路に格納しておけば磁気記録再生装置の周囲環境が変化しても、常に満足な記録再生性能が確保されることになる。
【００５２】
次に本発明の実施の形態１の磁気記録再生装置における発明の効果を検証するために、オーバーライト特性、エラーレート特性について、従来の磁気記録再生装置との比較実験を行った。実験に用いた本発明の磁気記録再生装置を図２に示す。前記したように磁気記録再生装置２０１には夫々特性を評価するために、ヘッド出力モニター、及びエラーレートモニター用の端子（図示省略）を設けた後、専用の計測用回路を介して測定した。また磁気記録媒体の温度を変化させるために、前記磁気記録再生装置２０１を恒温恒湿槽もしくは恒温恒湿室に入れて実験している。
【００５３】
なお、従来の磁気記録装置と本発明の磁気記録装置で異なる点は、温度検知回路によって検知された温度によって先行消去を最適制御するかしないかの違いだけで他の部品、部材等は同じものである。
【００５４】
最初に磁気記録再生装置の装置内温度あるは磁気記録媒体の温度とオーバーライト特性との関係について説明する。図８は本発明の実施の形態１における磁気記録再生装置と従来の磁気記録再生装置のオーバーライト特性について比較したものである。オーバーライト特性の評価としては、前記した一般的に行われている方法を用いた。最初に、ビット長換算で０．36μｍなる信号を記録した後、その基本波の出力（Ｆ1）を測定する。次にビット長が０．36μｍなる信号上にビット長が０．０6μｍなる信号を重ね書きする。そして重ね書きされた信号からビット長が０．36μｍの基本波成分の出力（Ｆ１‘）を測定する。このＦ１とＦ１’の対数比をもってオーバーライト値とした。また本発明の実施の形態１における磁気記録再生装置の先行消去は、温度検知回路204で検知された温度を元に最適な先行消去回数、記録電流比の制御を行っている。
【００５５】
実験の結果、本発明の磁気記録再生装置は従来の構成の磁気記録再生装置に比べ装置内の温度が０度よりも低い領域において、オーバーライト特性が大きく改善していることがわかる。
【００５６】
装置が低温環境に置かれることにより、磁気記録媒体の保磁力が上がることで相対的にヘッドの記録能力が下がっても、本発明の磁気記録再生装置の場合、装置内温度あるいは磁気記録媒体の温度に応じて先行消去の消去回数、記録電流比を最適化しているため、良好なオーバーライト特性が達成できている。
【００５７】
次に本発明の実施の形態１における磁気記録再生装置のエラーレート特性について説明する。図9は本発明の磁気記録再生装置と従来の磁気記録再生装において、装置内温度に対するエラーレート特性を比較した図である。エラーレート特性の評価も一般的な方法で行った。まず磁気記録媒体に記録される信号が最高で面記録密度が凡そ１40Ｍｂｉｔ／ｍｍ２となる条件で、予め既知のデ-タ系列を記録する。次に磁気記録媒体から再生された信号をデ-タを復調して復調されるべきデ-タ系列との比較をすることによってエラーレート値を評価した。その結果、図９に示すように、本発明の磁気記録再生装置は従来の構成の磁気記録再生装置に比べ装置内温度が０度よりも低い領域において、エラーレート特性が大きく改善していることがわかる。
【００５８】
従来の磁気記録再生装置のエラーレート特性が、装置内温度の低い領域で急激に劣化する原因として、前記のオーバーライト特性が低温環境で劣化することに起因しているものと考えられる。これに対し本発明の磁気記録再生装置の場合には装置が低温環境に置かれてもオーバーライト特性の劣化がほとんどないため、エラーレート特性も良好な特性を維持できるものである。
【００５９】
なお本発明の実施例では長手記録媒体を用いた例であり、先行消去の記録パターンはＤＣ（直流）パターンを用いて行ったが、磁気記録媒体が垂直記録媒を用いる場合にはＡＣ（交流）パターンを用い、先行消去回数、消去電流を最適なものに設定して行えば良く、長手記録媒体を用いたときと同様に磁気記録再生装置が低温環境に置かれてもオーバーライト特性の劣化がなく良好なデータ記録品質を保てるので、最終的なエラーレート特性も良好な特性を維持できるものである。
【産業上の利用可能性】
【００６０】
本発明にかかる磁気記録再生装置及びデータ記録方法は、磁気記録再生装置の動作環境を大幅に拡大する可能性を有し、携帯電話、携帯端末等のいわゆる携帯情報機器に内蔵型の小型磁気記録再生装置として有用である。またディジタルカメラ、ディジタルビデオ等の大容量メモリーとしての用途にも応用できる。
【図面の簡単な説明】
【００６１】
【図１】本発明の実施の形態１における磁気記録再生装置の要部を示すブロック図
【図２】本発明の実施の形態１における磁気記録再生装置の要部を示す図
【図３】本発明の実施の形態１におけるデータの記録方法を示すフローチャート
【図４】本発明の実施の形態１における先行消去回数とオーバーライト特性の関係を示す図
【図５】本発明の実施の形態１における記録電流比（Ｉｅ/Ｉｗ）とオーバーライト特性の関係を示す図
【図６】本発明の実施の形態１における装置内温度と先行消去回数との関係を示す図
【図７】本発明の実施の形態１における装置内温度と記録電流比（Ｉｅ/Ｉｗ）との関係を示す図
【図８】本発明の実施の形態１における磁気記録再生装置と従来の磁気記録再生装置のオーバーライト特性について比較した図
【図９】本発明の実施の形態１における磁気記録再生装置と従来の磁気記録再生装置のエラーレート特性について比較した図
【符号の説明】
【００６２】
１０１    磁気ヘッド
１０２    磁気記録媒体
１０３    スピンドルモータ（ＳＰＭ）
１０４    ヘッド支持部材
１０５    プリアンプ
１０６    温度検知回路
１０７    スピンドルモータドライバ
１０８    VCMドライバ
１０９    ＶＣＭ
１１０    ＣＰＵ
１１１    メモリー回路
１１２    制御回路（ハードディスクコントローラ）
１１３    リードライトチャネル回路
１１４    サーボコントローラ回路
２０１    磁気記録装置
２０２    磁気ヘッド
２０３    磁気記録媒体
２０４    温度検知回路
２０５    プリアンプ
２０６    ボイスコイルモータ
【図１】
2006120279.tif 000003
【図２】
2006120279.tif 000004
【図３】
2006120279.tif 000005
【図４】
2006120279.tif 000006
【図５】
2006120279.tif 000007
【図６】
2006120279.tif 000008
【図７】
2006120279.tif 000009
【図８】
2006120279.tif 000010
【図９】
2006120279.tif 000011